(57)【特許請求の範囲】
【請求項１】
通話中の電話回線へ通話中割り込み着信があった場合、前記電話回線を用いた第１の子機による通話を一時中断し、前記電話回線を用いた他の第２の子機による割り込み通話を形成するボタン電話装置において、
前記割り込み通話の終話に応じて、前記第１の子機の呼び出しを行うことにより、前記割り込み通話の終了を通知する割り込み終了通知手段を備えることを特徴とするボタン電話装置。
【請求項２】
請求項１記載のボタン電話装置において、
前記割り込み通話の終話に応じて、前記電話回線にフッキング信号を送出して前記第１の子機の通話相手先を再捕捉する再捕捉手段と、
再捕捉された前記通話相手先が終話したか否かを検出する終話検出手段とをさらに備え、
前記割り込み終了通知手段は、前記終話検出手段による前記通話相手先の終話検出結果に応じて、前記第１の子機への呼び出しの要否を判断することを特徴とするボタン電話装置。
【請求項３】
請求項１記載のボタン電話装置において、
前記割り込み通話の終話に応じて、前記電話回線にフッキング信号を送出して前記第１の子機の通話相手先を再捕捉する再捕捉手段と、
再捕捉された前記通話相手先が終話したか否かを検出する終話検出手段とをさらに備え、
前記終話検出手段により前記通話相手先の終話が検出されなかった場合、前記電話回線へ音または音声メッセージからなる音声信号を送出し、前記電話回線を保留状態とする保留手段をさらに備えることを特徴とするボタン電話装置。
【請求項４】
請求項１記載のボタン電話装置において、
前記割り込み通話の終話に応じて、前記電話回線にフッキング信号を送出して前記第１の子機の通話相手先を再捕捉する再捕捉手段と、
再捕捉された前記通話相手先が終話したか否かを検出する終話検出手段とをさらに備え、
前記割り込み終了通知手段は、前記第１の子機を呼び出し中に、前記終話検出手段により前記通話相手先の終話が検出された場合は、呼び出しを停止することを特徴とするボタン電話装置。
【請求項５】
請求項１記載のボタン電話装置において、
前記割り込み終了通知手段による呼び出しに前記第１の子機が応答した場合は、前記電話回線を用いた前記第１の子機による元の通話を再形成する通話再形成手段をさらに備えることを特徴とするボタン電話装置。
【発明の詳細な説明】
【０００１】
【発明の属する技術分野】
本発明は、ボタン電話装置に関し、特に通話中割り込み着信に応じて、元の通話を一時中断して、元の通話とは異なる子機で割り込み通話を形成するボタン電話装置に関するものである。
【０００２】
【従来の技術】
一般的な電話網では、通話中の電話回線へ他の相手先から着信があった場合、所定の通知信号をその電話回線へ送出して、その利用者へ通話中割り込み着信を通知する通話中割り込み着信サービス（いわゆるキャッチホンサービス）が提供されている。このサービスをボタン電話装置で利用する場合、一般的な外線転送を利用して割り込み通話を所望の子機へ転送すればよい。例えば、通話中の子機Ａが通話中割り込み着信に応答して、その割り込み相手先から通話相手を聞いた後、その割り込み通話を一旦保留して通話相手の子機Ｂを内線呼び出しして割り込み通話を外線転送すればよい。
【０００３】
割り込み通話が終了した場合は、子機Ｂの利用者から子機Ａの利用者に対して割り込み通話が終了した旨を通知し、この通知に応じて子機Ａの利用者が元の通話を再形成すればよい。この通知方法としては口頭で通知してもよく、子機Ｂの利用者が内線通話で子機Ａの利用者へ通知してもよい。
【０００４】
【発明が解決しようとする課題】
しかしながら、このような従来のボタン電話装置では、割り込み通話終了時に、子機Ｂの利用者が子機Ａの利用者に対して割り込み通話が終了した旨を、子機Ｂの利用者が口頭や内線通話により通知する必要があるため、子機Ｂの利用者に対する割り込み通話終了時の手間や操作負担が増大するという問題点があった。さらに、この子機Ｂの利用者が通知を怠った場合は、割り込み通話の終了と連携して元の通話を再形成することができず、網側で保留されている元の通話の相手先からの新たな着信となる。そしてその着信に他の子機が応答した場合は、その着信を子機Ａへ転送する必要があり、元の通話の再形成へスムーズに移行できないという問題点があった。
本発明はこのような課題を解決するためのものであり、複雑な操作を必要とすることなく割り込み通話終了から元の通話の再形成へスムーズに移行できるボタン電話装置を提供することを目的としている。
【０００５】
【課題を解決するための手段】
このような目的を達成するために、本発明によるボタン電話装置は、通話中の電話回線へ通話中割り込み着信があった場合、電話回線を用いた第１の子機による通話を一時中断し、電話回線を用いた他の第２の子機による割り込み通話を形成するボタン電話装置において、終了通知手段を設けて、割り込み通話の終話に応じて、第１の子機で呼び出しを行うことにより、割り込み通話の終了を通知するようにしたものである。
【０００６】
終了通知手段による割り込み通話終了の通知については、割り込み通話の終話に応じて、電話回線にフッキング信号を送出して第１の子機の通話相手先を再捕捉する再捕捉手段と、再捕捉された通話相手先が終話したか否かを検出する終話検出手段とをさらに設けて、終話検出手段による通話相手先の終話検出結果に応じて、第１の子機への呼び出しの要否を判断するようにしてもよい。
また、割り込み通話の終話に応じて、電話回線にフッキング信号を送出して第１の子機の通話相手先を再捕捉する再捕捉手段と、再捕捉された通話相手先が終話したか否かを検出する終話検出手段とを設け、終話検出手段により通話相手先の終話が検出されなかった場合、電話回線へ音または音声メッセージからなる音声信号を送出し、電話回線を保留状態とするようにしてもよい。
【０００７】
さらに、割り込み通話の終話に応じて、電話回線にフッキング信号を送出して第１の子機の通話相手先を再捕捉する再捕捉手段と、再捕捉された通話相手先が終話したか否かを検出する終話検出手段とを設け、第１の子機を呼び出し中に、終話検出手段により通話相手先の終話が検出された場合は、呼び出しを停止するようにしてもよい。
また、割り込み終了通知手段による呼び出しに第１の子機が応答した場合は、電話回線を用いた第１の子機による元の通話を再形成するようにしてもよい。
【０００８】
【発明の実施の形態】
次に、本発明について図面を参照して説明する。
図１は本発明の一実施の形態であるボタン電話装置のブロック図である。同図において、１は１つ以上の電話回線１１に接続された主装置、２Ａ〜２Ｎは内線伝送路３を介して主装置１０に接続されたＮ個（Ｎ≧２）の子機（ボタン電話機）である。
【０００９】
主装置１において、１２は電話回線１１を終端制御する外線Ｉ／Ｆ部、１３は内線伝送路３を介して子機２（２Ａ〜２Ｎ）を収容する内線Ｉ／Ｆ部、１４は外線Ｉ／Ｆ部１２と内線Ｉ／Ｆ部１３とを交換接続する交換処理部、１５は装置全体を制御する主制御部、１６は主制御部１５での制御に必要な各種制御情報を記憶する主記憶部、１７は電話回線１１を介して網側から送信されている各種情報を受信する情報受信部、１８は電話回線１１からのビジートーン（ＢＴ音）により相手先終話を検出する終話検出部、１９は保留音などを出力する音源である。
【００１０】
子機２（２Ａ〜２Ｎ）は、ほぼ同様の構成をなしており、２１は内線伝送路３を介して主装置１とデータ伝送を行う伝送Ｉ／Ｆ部、２２は伝送Ｉ／Ｆ部２１で受信された音声データを音声信号に復号化してハンドセットまたはスピーカ（図示せず）から出力し、ハンドセットから入力された音声を音声データに符号化して伝送Ｉ／Ｆ部２１へ出力する通話回路、２３は子機２の各部を制御する子機制御部、２４はフックスイッチやダイヤルキーなどの各種キーの操作を検出する操作入力部、２５は各種情報を文字・図柄で表示する表示部、２６は子機制御部２３の処理に用いる制御情報を記憶するメモリである。
【００１１】
主装置１の主記憶部１６には、各相手先番号と１つ以上の子機番号との対応関係からなる個別着信情報が登録されている。主制御部１５では、着信および通話中割り込み着信時に、情報受信部１７で網からの相手先番号を受信した場合、主記憶部１６の個別着信情報を参照して、該当する子機が登録されているかどうかチェックする。ここで、その相手先番号に対応して子機番号が登録されている場合は、個別着信処理によりその子機番号の子機でのみ着信表示を行う。また、対応する子機番号が登録されていない場合は、全ての子機で着信表示を行う。
【００１２】
次に、図２〜５を参照して、本発明の動作として、通話中割り込み着信が個別着信であった場合を例として説明する。図２は主制御部での通話割り込み処理（個別着信）を示すフローチャート、図３は割り込み通話終了処理を示すフローチャートである。図４，５は図２，３のフローチャートの各時点での通話接続状態を示す説明図である。
まず、図４（ａ）に示すように、網４に接続された相手先Ｘ（４Ｘ）と子機Ａ（２Ａ）とが、電話回線１１および主装置１を介して接続され、外線通話４１が行われているものとする。この状態で網４に接続された相手先Ｙ（４Ｙ）から電話回線１１に対して着信４２が発生した場合、網４は電話回線１１が通話中であることから、所定の信号を電話回線１１へ送出し、通話中割り込み着信を通知する。
【００１３】
これに応じて、主装置１の主制御部１５では、電話回線１１を介して網４から通知された相手先Ｙの相手先番号を情報受信部１７で受信し、図２の通話割り込み処理を開始する。
まず、主記憶部１６の個別着信情報を参照して、対応する子機番号を取得し、その子機番号に対応する子機、例えば子機Ｂ（２Ｂ）へのみ着信表示を行う（ステップ５０）。このとき、その相手先番号を子機Ｂの表示部２５から表示してもよい。
【００１４】
子機Ｂでは、これにより呼び出し状態となり、子機Ｂでの応答に応じて（ステップ５１：ＹＥＳ）、主制御部１５は、被割り込み側である元の通話の子機Ａへ、通話割り込み応答の待機中である旨を示す待機中通知音を出力する（ステップ５２）。
これに応じて、子機Ａでは、外線通話４１の状態で待機中通知音が出力されることにより、個別着信による割り込みが発生と認識できる。
【００１５】
ここで、子機Ａで保留操作を行った場合（ステップ５３：ＹＥＳ）、主制御部１５は、図４（ｂ）に示すように、交換処理部１４を制御して電話回線１１の外線通話４１を保留状態とし（ステップ５４）、子機Ａ−子機Ｂ間で内線通話４３の状態とする（ステップ５５）。
これにより、子機Ａと子機Ｂの利用者間で割り込み通話について話し合いが持たれ、子機Ａの利用者が外線通話４１の一時中断を許可した場合は、子機Ａが先に内線通話４３を終話する。
【００１６】
この内線通話４３の終話に応じて（ステップ５６：ＹＥＳ）、主制御部１５は、外線Ｉ／Ｆ部１２を制御して電話回線１１へフッキング信号を送出し（ステップ５７）、交換処理部１４を制御して子機Ｂを電話回線１１と接続する（ステップ５８）。
網４では、電話回線１１からのフッキング信号に応じて、相手先Ｘ側の外線通話４１を網４で保留状態とするとともに、相手先Ｙ側を電話回線１１に交換接続する。これにより、図４（ｃ）に示すように、相手先Ｙと子機Ｂとの外線通話４４が形成される。
【００１７】
この後、子機Ｂが外線通話４４を終話した場合（ステップ５９：ＹＥＳ）、主制御部１５は、図３に示す割り込み通話終了処理を行う（ステップ６０）。
図３の割り込み通話終了処理では、まず、外線Ｉ／Ｆ部１２を制御して電話回線１１へフッキング信号を送出する（ステップ７０／再捕捉手段）。これに応じて網４では、相手先Ｘの保留を解除して、図５（ａ）に示すように、電話回線１１を相手先Ｙから相手先Ｘへ切替接続する。次に、主制御部１５は、終話検出部１８で電話回線１１からのＢＴ音に基づき相手先Ｘがすでに終話しているか否か確認する（ステップ７１／終話検出手段）。
【００１８】
ここで、ＢＴ音が検出されず相手先Ｘがまだ通話状態にあると判断した場合は（ステップ７１：ＮＯ）、再度子機Ａを呼び出し中である旨の保留音、呼び出し音あるいは音声メッセージを、音源１９から交換処理部１４および外線Ｉ／Ｆ部１２を介して電話回線１１へ送出し、電話回線１１を保留状態とする（ステップ７２／保留手段）。これとともに主制御部１５は、記憶しておいた元の通話の子機Ａへ呼び出し４５を行い（ステップ７３／割り込み終了通知手段）、割り込み通話４４が終了した旨を子機Ａの利用者へ通知する。
【００１９】
この呼び出し４５に子機Ａが応答した場合は（ステップ７４：ＹＥＳ）、電話回線１１への保留音などの送出を停止して保留を解除し（ステップ７５）、交換処理部１４を制御して電話回線１１と子機Ａとを接続し（ステップ７６／通話再形成手段）、図２へ戻って、一連の通話割り込み処理を終了する。
これにより、図５（ｂ）に示すように、相手先Ｘと子機Ａとによる元の外線通話４１が再形成される。
【００２０】
このように、割り込み側の外線通話４４の終話に応じて、元の子機Ａを呼び出すようにしたので、子機Ｂの利用者が子機Ａの利用者に対して割り込み通話が終了した旨を、子機Ｂの利用者が口頭や内線通話により通知する必要がなくなり、子機Ｂの利用者に対する割り込み通話終了時の手間や操作負担を大幅に削減できるとともに、割り込み通話の終了と連携して子機Ａへ割り込み通話の終了を通知でき、割り込み通話終了から元の通話の再形成へスムーズに移行できる。さらに、子機Ａの利用者は、子機Ｂの割り込み通話が終了するまで待機する必要がなく、その間の時間を有効利用できる。
【００２１】
さらに、子機Ａの呼び出しに対する応答操作に応じて、相手先Ｘと子機Ａとによる元の外線通話４１を再形成するようにしたので、従来のように、例えば子機Ｂからの内線呼び出しに応答して割り込み通話の終了を確認し、その内線通話を一旦終了した後、電話回線１１を再捕捉するなどの複雑な操作を子機Ａで行う必要がなくなり、割り込み通話の終了と連携してスムーズに元の通話を再形成することができる。
【００２２】
ステップ７４において、子機Ａの応答がなく（ステップ７４：ＮＯ）、終話検出部１８で電話回線１１からのＢＴ音が検出され相手先Ｘの終話が検出された場合は（ステップ８０：ＹＥＳ／終話検出手段）、子機Ａの呼び出しを停止し（ステップ８１／割り込み終了通知手段）、交換処理部１４を制御して電話回線１１を開放し、外線通話４１の終話処理を行って（ステップ８２）、一連の通話割り込み処理を終了する。
このように、子機Ａの応答より早く相手先Ｘの終話が検出された場合は、子機Ａの呼び出しを停止するようにしたので、相手先Ｘ側からの終話に起因する無効な外線通話４１の再形成を回避できる。
【００２３】
割り込み通話の終話検出に応じて子機Ａの呼び出しを行う前に、ステップ７１において、終話検出部１８で電話回線１１からのＢＴ音が検出され相手先Ｘの終話が検出された場合は（ステップ７１：ＹＥＳ）、ステップ８１へ移行する。
このように、子機Ａの呼び出しを行う前に、相手先Ｘがすでに終話しているか否かを検出し、その終話検出結果に応じて子機Ａへの呼び出しの要否を判断するようにしたので、相手先Ｘ側からの終話に起因する無効な外線通話４１の再形成を確実に回避できる。
【００２４】
また、ステップ７４において、相手先Ｘの終話が検出されなかった場合には、ステップ７２で、電話回線１１へ再度子機Ａを呼び出し中である旨の保留音、呼び出し音あるいは音声メッセージを送出するようにしたので、ステップ７０で送出したフッキング信号に応じて網４で保留解除された相手先Ｘに対して、子機Ａを再度呼び出し中である旨を伝えることができる。
【００２５】
図２のステップ５５で形成された子機Ａ−子機Ｂの内線通話状態において、子機Ａが内線終話せず（ステップ５６：ＮＯ）、子機Ｂが先に内線終話した場合は（ステップ６１：ＹＥＳ：判定手段）、割り込み通話へ移行することなく、元の外線通話４１を維持し（通話割り込み手段）、一連の通話割り込み処理を終了する。この場合、網４では、相手先Ｙを呼び出し状態のままとし、その後の外線通話４１の終話に応じて電話回線１１へ再度着信を行う。
【００２６】
ステップ５２で子機Ａへ待機中通知音の送出を開始した状態で、子機Ａが保留操作を行わず（ステップ５３：ＮＯ）、フッキング操作を行った場合は（ステップ６２：ＹＥＳ：判定手段）、子機Ａの利用者が外線通話４１の一時中断すなわち割り込み通話を許可したと判断して、ステップ５７へ移行するようにしてもよい。
また、子機Ａがフッキング操作を行わず（ステップ６２：ＮＯ）、外線通話４１の終話を行った場合は（ステップ６３：ＹＥＳ）、子機Ｂをビジー状態とした後（ステップ６４）、交換処理部１４を制御して電話回線１１を開放し、外線通話４１の終話処理を行い（ステップ６５）、一連の通話割り込み処理を終了する。
【００２７】
ステップ５１において、子機Ｂが個別着信に応答せず（ステップ５１：ＮＯ）、子機Ａが外線通話４１の終話を行った場合は（ステップ６６：ＹＥＳ）、子機Ｂへの個別着信を停止し（ステップ６７）、ステップ７３へ移行してもよい。
これにより、網４では、相手先Ｙを呼び出し状態のままとし、電話回線１１へ再度着信を行う。
【００２８】
以上では、通話中割り込み着信が個別着信である場合を例に説明したが、これに限定されるものではなく、通話中割り込み着信が特定の子機と対応付けられていない通常着信であった場合にも本発明を適用でき、前述と同様の作用効果が得られる。
図６に割り込み通話移行までの他の処理動作を示す。
通話中割り込み着信が特定の子機と対応付けられていない通常着信である場合、その通話中割り込み着信は、他の子機で着信表示されず、電話回線１１で通話中の子機Ａだけに通知される。
【００２９】
まず、図４（ａ）に示すように、相手先Ｘと子機Ａとが外線通話４１を行っている状態で、通話中割り込み着信が検出された場合は（ステップ１００）、網４からの相手先番号を情報受信部１７で受信する。子機Ａでは、網４からの話中割り込み着信音や主装置１からの相手先番号の表示などの通話中割り込み着信表示に応じて、相手先の切替操作を行う（ステップ１０１）。これにより電話回線１１へフッキング信号が送出され、網４で相手先Ｙに切り替えて、子機Ａとの外線通話が開始される（ステップ１０２）。
【００３０】
この外線通話により、子機Ａの利用者が相手先Ｙから通話相手を確認し、その通話相手の子機例えば子機Ｂへ外線転送操作を行う。ここでは、電話回線１１を保留して（ステップ１０３）、子機Ａから子機Ｂを内線呼び出しし（ステップ１０４）、子機Ｂの応答により内線通話を行う（ステップ１０５）。
この内線通話で相手先Ｙからの通話中割り込み着信である旨を子機Ｂの利用者に伝え、子機Ａは内線通話を終話する（ステップ１０６）。子機Ｂは保留中の電話回線１１を捕捉し（ステップ１０７）、相手先Ｙとの割り込み通話を開始する（ステップ１０８）。そして、子機Ｂでの割り込み通話終了に応じて（ステップ１０９）、図６の割り込み通話終了処理へ移行する（ステップ１１０）。
【００３１】
なお、通話中割り込み着信時に表示された相手先番号から通話相手がわかる場合は、その相手先Ｙと子機Ａとの外線通話を省略して、通話相手の子機例えば子機Ｂへその通話中割り込み着信を外線転送してもよい。この場合は、ステップ１０１〜１０５の代わりに、ステップ１２０〜１２３の動作となる。すなわち、通話中割り込み着信を検出したら、子機Ａで内線ボタンを操作して子機Ｂを内線呼び出しする（ステップ１２０）。
【００３２】
主制御部１５では、これに応じて電話回線１１へフッキング信号を送出するとともに（ステップ１２１）、電話回線１１を保留し（ステップ１２２）、子機Ｂの応答により内線通話を行う（ステップ１２３）。
このように、通話中割り込み着信が特定の子機と対応付けられていない通常着信であった場合にも本発明を適用でき、前述と同様の作用効果が得られる。
【００３３】
【発明の効果】
以上説明したように、本発明は、通話中の電話回線へ通話中割り込み着信があった場合、電話回線を用いた第１の子機による通話を一時中断し、電話回線を用いた他の第２の子機による割り込み通話を形成するボタン電話装置において、割り込み通話の終話に応じて、第１の子機で呼び出しを行うことにより割り込み通話の終了を通知するようにしたので、割り込み通話が終了した旨を、第２の子機の利用者が口頭や内線通話により通知する必要がなくなり、第２の子機の利用者に対する割り込み通話終了時の手間や操作負担を大幅に削減できるとともに、割り込み通話の終了と連携して第１の子機へ割り込み通話の終了を通知でき、割り込み通話終了から元の通話の再形成へスムーズに移行できる。
【図面の簡単な説明】
【図１】  本発明の一実施の形態によるボタン電話装置のブロック図である。
【図２】  通話中割り込み処理を示すフローチャートである。
【図３】  割り込み通話終了処理を示すフローチャートである。
【図４】  通話中割り込み処理の各時点での通話接続状態を示す説明図である。
【図５】  割り込み通話終了処理の各時点での通話接続状態を示す説明図である。
【図６】  割り込み通話移行までの他の処理動作を示すフローチャートである。
【符号の説明】
１…主装置、２，２Ａ〜２Ｎ…子機、１１…電話回線、１２…外線Ｉ／Ｆ部、１３…内線Ｉ／Ｆ部、１４…交換処理部、１５…主制御部、１６…主記憶部、１７…情報受信部、１８…終話検出部、１９…音源、２１…伝送Ｉ／Ｆ部、２２…通話回路、２３…子機制御部、２４…操作入力部、２５…表示部、２６…メモリ，３…内線伝送路、４…網、４Ｘ…相手先Ｘ、４Ｙ…相手先Ｙ、４１…外線通話（被割り込み側）、４２…着信（割り込み側）、４３…内線通話、４４…外線通話（割り込み側）、４５…呼び出し。
【図１】
0003680695.tif 000002
【図２】
0003680695.tif 000003
【図３】
0003680695.tif 000004
【図４】
0003680695.tif 000005
【図５】
0003680695.tif 000006
【図６】
0003680695.tif 000007